(57)【要約】【課題】釣糸挿通操作を円滑に為しえる中通し竿を提供する。【解決手段】この中通し竿は、元竿１とその穂先側に連結される元上竿２とを有している。元竿１の周面には釣糸導入口６が形成されており、穂先側端部は嵌合雌部である。この嵌合雌部の竿元側隣接する内周面に案内部材１０が配置されている。釣糸導入口６から糸通し具５０を導入し、案内部材１０に当たった糸通し具５０のキャップ５２は持ち上げられ、元上竿２内へと円滑に導かれる。【選択図】      図２
2004187590.tif 000002
【特許請求の範囲】
【請求項１】
リールからの釣糸が竿体内部を挿通する中通し竿であって、
リールからの釣糸を内部に導入するための釣糸導入口が穂先側の周面に形成さており、穂先側端部内周面が嵌合雌部になっている第１竿体と、
前記第１竿体の穂先側に振出形式に連結され、竿元側端部外周面が前記嵌合雌部に嵌着可能な嵌合雄部になっている第２竿体と、
前記第２竿体の竿元側端部に脱着自在に装着され軸方向に貫通する貫通孔が形成された底栓と、
前記第１竿体の前記嵌合雌部の竿元側に隣接する内周面に内嵌されたリング状の部材であり、径方向に出没自在な案内部材と、
を備える中通し竿。
【請求項２】
前記案内部材は弾性体から形成されている、請求項１に記載の中通し竿。
【請求項３】
前記案内部材のリング状の内周面は軸方向における中央付近が最も内方向に突出する曲面である、請求項２に記載の中通し竿。
【発明の詳細な説明】
【０００１】
【発明の属する技術分野】
本発明は、中通し竿、特に振出形式で連結され内部に釣糸を挿通可能な中通し竿に関する。
【０００２】
【従来の技術】
従来の振出式の中通し竿は、内部に釣糸通路を有する穂先竿・中竿等及び元上竿と、これらの竿体の竿元側に連結され各竿体を順次内部に収納可能な元竿とを備えている。
元竿は、外周面に設けられリールを取り付け可能なリールシートと、リールシートの穂先側に設けられた釣糸導入口とを有している。そして、竿元側端部には栓状の尻栓が装着されている。また、その他の各竿体の竿元側端部には軸方向に貫通する貫通孔を有する底栓が装着されている。そして、穂先竿の穂先側端部にはトップガイドが装着されている。
【０００３】
このような従来の中通し竿では、使用時には各竿体を順次穂先側へ引き出して固定して１本の釣竿として使用する。そして、元竿の外周面に設けられたリールからの釣糸は、釣糸導入口から竿体内の釣糸通路に導入され、各竿体の底栓の貫通孔を挿通しつつ順次穂先側の竿体へ導かれ、穂先竿の穂先側先端に設けられたトップガイドから外部に導かれる。
【０００４】
この種の中通し竿において、釣糸導入口から釣糸通路に釣糸を導入して釣糸通路に釣糸を通すために（以下「釣糸挿通操作」という）糸通し具が用いられる。一般的な糸通し具は、複数の金属素線をより合わせて形成したワイヤからなる。このワイヤの後端には釣糸を係止するための釣糸係止部が設けられ、またワイヤの先端にはワイヤの素線が広がるのを防止するためのキャップが固定されている。
【０００５】
このような糸通し具を用いて釣糸挿通操作をおこなう際には、まず、釣糸導入口の形成された元竿の穂先側に元上竿を引き出した状態で連結する。そして、糸通し具の糸係止部に釣糸を係止して釣糸導入口よりキャップを挿入する。順次穂先側にワイヤを送って、元上竿の底栓から元上竿内へと糸通し具を挿入し、穂先側から導出する（例えば、特許文献１参照）。
【０００６】
【特許文献１】
特開２０００−１１６２８６（図５）
【０００７】
【発明が解決しようとする課題】
このような釣糸挿通操作において問題となる点の１つとして、糸通し具が底栓を挿通して上手く穂先側の竿体に至らない場合があるというものがある。例えば、穂先側端部から一定の距離を隔てた周面に釣糸導入口が形成されているような元竿においては、釣糸導入口から元上竿の底栓へ一定の軸方向距離が存在する。このため、図４に示すように、元竿１０１の釣糸導入口１０１ａから糸通し具５０を挿入すると、キャップ５１等の自重によりキャップ５１が鉛直方向に垂れ落ちてしまい、元上竿１０２の底栓１０５の貫通孔にキャップ５１が挿入しにくくなってしまうのである。
【０００８】
本発明の課題は、釣糸挿通操作を円滑に為しえる中通し竿を提供することにある。
【０００９】
【課題を解決するための手段】
発明１の中通し竿は、リールからの釣糸が竿体内部を挿通する中通し竿であって、リールからの釣糸を内部に導入するための釣糸導入口が穂先側の周面に形成されており、穂先側端部内周面が嵌合雌部になっている第１竿体と、第１竿体の穂先側に振出形式に連結され、竿元側端部外周面が前記嵌合雌部に嵌着可能な嵌合雄部になっている第２竿体と、第２竿体の竿元側端部に脱着自在に装着され軸方向に貫通する貫通孔が形成された底栓と、第１竿体の嵌合雌部の竿元側に隣接する内周面に内嵌されたリング状の部材であり、径方向に出没自在な案内部材とを備える。
【００１０】
この中通し竿において釣糸挿通操作を行う場合にも、従来の一般的な糸通し具を用いる。糸通し具の糸係止部に釣糸を係止し、第１竿体の穂先側に第２竿体を引きだして連結した状態で、第１竿体の釣糸導入口から糸通し具のキャップを挿入する。釣糸導入口から第１竿体内部で穂先側に送られたキャップは、自重により第１竿体内部でその内周面の鉛直方向に位置するが、案内部材に至ると案内部材に載って持ち上げられる。そして、そのまま第２竿体の底栓の貫通孔に案内される。なお、この案内部材は径方向に出没自在であり、第２竿体を第１竿体内に振出形式に収納する際には径外方向に没し、第２竿体の第１竿体内への挿入を妨げることもない。
【００１１】
発明２の中通し竿は、発明１の中通し竿であって、案内部材は弾性体から形成される。
第２竿体を第１竿体内に収納して第２竿体の底栓が案内部材に当たると、案内部材はその素材の弾性によって径外方向に押し込まれ、第２竿体が軸方向に移動する空間が確保される。
【００１２】
発明３の中通し竿は、発明２の中通し竿であって、案内部材のリング状の内周面は軸方向における中央付近が最も内方向に突出する曲面である。
糸通し具のキャップが案内部材に至ると、第１竿体内周面に沿って穂先側に至り、案内部材に至ると、そのリング内周面の所定の曲面に沿って持ち上げられ、キャップは円滑に案内部材のリングを挿通し、底栓へと導かれる。
【００１３】
【発明の実施の形態】
［第１実施形態］
以下、本発明の第１実施形態について、図面を参照しつつ説明する。
（中通し竿について）
図１に示すように、本発明の第１実施形態を採用した中通し竿は、元竿１と元竿１の穂先側に順次振出形式で連結される元上竿２，中竿３，穂先竿４とを有している。各竿体は繊維強化樹脂から構成される先細り筒状部材であり、内部に釣糸を挿通するために釣糸通路を有している。
【００１４】
元竿１は、周面に形成されたリールＲを脱着自在に取り付け可能なリールシート５と、リールシート５の穂先側の周面に形成された釣糸導入口６と、釣糸導入口６付近に固定されリールＲからの釣糸Ｌを釣糸挿入口６へ導くための釣糸導入ガイド７と、竿元側端部に脱着自在に装着される尻栓８とを有している。
また、穂先側端部内周面は振出形式で竿体同士を連結するために嵌合雌部１ａとなっている（図２参照）。嵌合雌部１ａは他の部分より厚肉且つ小径化させてもよい。そして、この嵌合雄部１ａの竿元側に隣接する内周面には案内部材１０が内嵌されている。
【００１５】
釣糸導入口６は周方向においてリールシート５が形成されている側に形成される軸方向に長い長孔であって、必要に応じてその開口に合致する硬質リングがはめ込まれている。例えば、この硬質リングはセラミックスなどから形成されており、釣糸導入口６の形状に合わせたフランジなどを形成し、このフランジを釣糸導入口６にはめ込んで接着剤などで固定してもよい。
【００１６】
釣糸導入ガイド７は、釣糸導入口６を軸方向に跨ぐように元竿１の周面に配置される金属又は合成樹脂等からなる部材であって、硬質のガイドリングを備えており、このガイドリングで釣糸Ｌを案内している。また、底栓８は元竿１の竿元側端部に脱着自在に装着される栓であり、例えば、元竿１の竿元側端部内周面に直接ねじ山を形成し、ここに螺合させる手法などによって装着されている。
【００１７】
案内部材１０は、合成，天然ゴムや、スポンジ体、海綿体などの弾性を有する素材から構成されているリング状の部材である。リングの内周面は軸方向中央付近においてもっとも小径化するように、軸方向においてなだらかな曲面化している。案内部材１０は軸方向においておよそ３〜５ｍｍ程度のもので足りる。
この案内部材１０は、そのリングの外周側の一部が元竿１の内周面に埋没したような状態で固定されている。例えば、以下のような方法で、元竿１の所定の内周面に案内部材１０を配置し固定することが可能である。
【００１８】
一般に、元竿１等の竿体は所定のテーパを施した芯材に炭素繊維強化樹脂などからなるプリプレグ素材を巻回して形成する。そこで、芯材の軸方向の所定の位置において周面に周方向に凹溝を形成し、案内部材１０を配置しておく。案内部材１０は、例えば、半割部材を組み合わせたものとしてもよい。その後、案内部材１０および芯材の外周にプリプレグ素材を巻回してゆく。プリプレグ素材を焼成後に、脱芯すると、管状の内周面に案内部材１０が配置された元竿１を得ることができる。
【００１９】
図２にも示すように、元上竿２は、元竿１の穂先側に振出形式で連結される先細り筒状部材であり、その内部は釣糸Ｌが挿通可能な釣糸通路となっている。竿元側端部外周面は上述の元竿１の嵌合雌部１ａに嵌着可能な嵌合雄部となっている。なお、この元上竿２の内周面（釣糸通路面）には軸方向に間隔を設けつつ螺旋状に連続する釣糸支持突起を形成してもよい（図示せず）。このような釣糸支持突起を利用して、釣糸と竿体内周面との接触面積を低減させる。
【００２０】
また、竿元側端部内周面にはねじ溝が直接形成されてナット部分となっており、ここに底栓１１が脱着自在に装着されている。この底栓１１は、合成樹脂等から形成される栓部材であり、外周面にねじ溝が形成されてボルト部分となっている。軸方向に貫通する貫通孔が形成されており、この貫通孔の内周面にはセラミックスなどの硬質部材からなる案内リングもはめ込まれる。貫通孔の竿元側は竿元側開口ほど拡径する曲面となっており、後述の糸通し具が導入され易いように配慮している。また、尻栓１１の貫通孔の穂先側も大径化しており竿体収納部となっている。この竿体収納部に中竿３の竿元側端部が収納されて、一回的に釣糸挿通操作が可能なように配慮されている（図２参照）。
【００２１】
中竿３および穂先竿４も、元上竿２と同様の先細り筒状部材である。振り出し形式に連結するための嵌合部分もそれぞれの竿体に形成される。また、内部の釣糸通路の内周面（釣糸通路面）には軸方向に間隔を設けつつ螺旋状に連続する釣糸支持突起を形成してもよい。穂先竿４の穂先側端部には脱着自在にトップガイド９も装着される。
【００２２】
（糸通し具について）
次に、一般的な糸通し具の構造を簡単に説明する。
図４に示すように、糸通し具５０は、線状の本体部５１と、本体部５１の先端に設けられたキャップ部５２と、本体部５１の後端に設けられ釣糸Ｌを係止可能な釣糸係止部５３とを有している。
【００２３】
本体部５１は、複数の金属素線をよって形成されたワイヤまたは合成樹脂で形成された屈曲自在な線状部材である。金属ワイヤから形成される場合、その表面には合成樹脂によって表面コートが施される。また、商品イメージに合わせて様々な色彩や模様が施される。キャップ部５２は、金属または合成樹脂からなる蓋付円筒型部材であって、本体部５１の先端部分を収納するように配置されている。また、釣糸係止部５３は、本体部５１より小径のワイヤ等でリング状に形成されており、このリング状の部分に釣糸Ｌを係止可能である。これらは、穂先竿４の内径より小さく、中通し竿の内部の釣糸通路を挿通可能なものである。
【００２４】
（釣糸挿通操作について）
この中通し竿において釣糸挿通操作を行う際には、以下のような手順で行う。まず、図２に示すように、元竿１の穂先側に元上竿を引きだして連結し、中竿３および穂先竿４は元上竿２内に収納した状態としておく。糸通し具５０の釣糸係止部５３に釣糸Ｌを係止した状態で、元竿１の釣糸導入口６から糸通し具５０のキャップ５２を挿入する。釣糸導入口６から元竿１内で穂先側に送られたキャップ５２は、自重により元竿１内部でその内周面の鉛直方向に位置するが、案内部材１０に至ると、その内周曲面に載って持ち上げられる。そして、そのまま元上竿２の底栓１１の貫通孔に案内される。底栓１１の貫通孔の穂先側の竿体収納部には中竿３および穂先竿４の竿元側端部が収納されており、貫通孔を挿通したキャップ５２はそのまま穂先竿４内へ導かれる。そのまま、糸通し具５０をさらに穂先側に押しだし、穂先竿４のトップガイド７から引き出して、釣糸Ｌを竿体内に挿通させる。
【００２５】
なお、この案内部材１０はその素材の弾性によって径方向に出没自在である。図３に示すように、元上竿２を元竿１内に振出形式に収納する際には、底栓１１が当たると案内部材１０は径外方向に没して空間を確保し、元上竿２の元竿１内への挿入を妨げることもない。
［他の実施形態］
（ａ）上記実施形態では、案内部材１０を予め内包した状態でプリプレグ素材を巻回して元竿１を製造する方法を例示しているが、案内部材１０は後付によって元竿１内に配置することも可能である。
【００２６】
例えば、元竿１の所定の軸方向位置の内周面に予め周方向に凹入する窪みを形成しておく。この窪みは、芯材の外周面に水溶性テープを部分的に巻回しておき、プリプレグ素材を芯材に巻回して焼成後、水溶性テープを溶解させる等の方法でも形成できる。その後、完成した筒状体である元竿１の穂先側若しくは竿元側端部よりリング状の案内部材１０を挿入し、所定の窪みにはめ込む。
【００２７】
【発明の効果】
本発明の中通し竿では、釣糸挿通操作が円滑になしえる。
【図面の簡単な説明】
【図１】本発明の第１実施形態を採用した中通し竿の全体図。
【図２】図１の元竿１と元上竿２との連結部分を示した断面図。
【図３】元上竿２を元竿１内に収納した際の状況を示した図。
【図４】一般的な糸通し具５０を示した図。
【図５】従来の中通し竿の元上竿２と元竿１との連結部分を示した断面図。
【符号の説明】
１  元竿
２  元上竿
３  中竿
４  穂先竿
１０  案内部材
１１  底栓
５０  糸通し具
【図１】
2004187590.tif 000003
【図２】
2004187590.tif 000004
【図３】
2004187590.tif 000005
【図４】
2004187590.tif 000006
【図５】
2004187590.tif 000007